(57)【要約】【課題】車載端末装置のように表示画面が小さい場合であっても、番組の詳細情報を容易また迅速に確認することができる番組情報表示装置を提供する。【解決手段】表示画面の上部にサービス番号、サービス名称ａが表示され、中央に番組の番組開始時刻ｂ、番組番号ｃ、番組名ｄ及び番組詳細情報ｅが表示されるとともに、現在時刻の前後の番組の番組開始時刻ｂ、番組番号ｃ、番組名ｄが表示される。そして、番組詳細情報表示欄内の右側の上下に表示された一組の詳細情報スクロールボタンｆ、ｆ、番組情報表示欄の右側の上下に表示された番組切替ボタンｇ、ｇ、番組表示欄の下部の両側に表示された表示サービス切替ボタンｈ、ｈ、画面の下部に表示された「１週間前」、「前の日」、「次の日」、「１週間先」の日指定ボタンｉ、番組番号を指定する「番組指定」ボタンｊ、番組スキップ数を指定する「スキップ」ボタンｋのいずれかのボタンを押すことにより、所望の番組の詳細情報を表示することができる。【選択図】図４
2008178115.tif 000002
【特許請求の範囲】
【請求項１】
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
上記詳細情報を表示する番組の日を指定する日指定手段を備え、上記データ生成手段が上記日指定手段で指定された日の番組の詳細情報を有する番組情報表示データを生成し、上記表示手段に表示することを特徴とする番組情報表示装置。
【請求項２】
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
上記詳細情報を表示する番組の番号を指定する番号指定手段を備え、上記データ生成手段が上記番号指定手段で指定された番号の番組の詳細情報を有する番組情報表示データを生成し、上記表示手段に表示することを特徴とする番組情報表示装置。
【請求項３】
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
現在詳細情報を表示している番組からスキップする番組数を指定するスキップ手段を備え、上記データ生成手段が、現在詳細情報を表示している番組から上記スキップ手段で指定された番組数だけスキップした番組の詳細情報を有する番組情報表示データを生成し、上記表示手段に表示することを特徴とする番組情報表示装置。
【発明の詳細な説明】
【技術分野】
【０００１】
本発明は、テレビジョン信号に多重伝送されるテレビ番組情報を受信し、このテレビ番組情報を表示する番組情報表示装置に関する。
【背景技術】
【０００２】
アナログ放送は１つの周波数帯域内に１つのチャンネルしか割り当てることができないが、デジタル放送では１つの周波数帯域に複数のチャンネルを割り当てることができるため、デジタル放送はアナログ放送に比べて多チャンネル化が容易である。現在、デジタル放送にはＣＳ（通信衛星）放送、ケーブル放送、インターネット放送等があるが、これらのデジタル放送では、映像、音声、コンピュータ・プログラム等のデータをＭＰＥＧ（Moving picture expert group）２方式にて圧縮し、それらのデータを混在させたＭＰＥＧ２−ＴＳ（Transport stream）形式でデータ伝送を行っている。
【０００３】
このような、多チャンネルテレビジョンシステムではチャンネル数及び番組数が多くなるため、番組の視聴選択の利便性向上を目的とし、テレビ信号にテレビ番組情報（以下、ＥＰＧデータという）を多重伝送し、そのＥＰＧデータを基に再生表示されたテレビ番組表から視聴する番組を選択するとともに、視聴番組の予約も可能にしている。
このＥＰＧデータを用いて番組情報を表示する場合、従来は、テレビ画面に、放送日付、放送時間帯、放送チャネル番号及び放送番組名等からなる複数行列の番組メニューを表示するようにしている（例えば、特許文献１参照）。
【特許文献１】特開平１１−２１５４４４号公報
【発明の開示】
【発明が解決しようとする課題】
【０００４】
従来の番組情報表示装置は上記のように構成されているが、車載端末装置のように大画面を持たないデジタル放送受信機においては、ホーム用受信機のように、複数行列の番組表で各番組の番組情報を表示することは困難であり、特に、番組の詳細を知ることができないという問題があった。
また、表示画面が小さいため、表示する番組が限られ、希望のチャンネルや時間帯を表示するのに時間がかかり、例えば、表示したい番組が現在表示している番組のチャンネルや時間帯と大きく隔たったチャンネルや時間帯の番組の場合には、チャンネル選択ボタンや時間帯切替ボタンを何度も操作しなければならず、操作が煩雑であるという問題もあった。
【０００５】
本発明は、上記の問題に鑑みてなされたもので、車載端末装置のように表示画面が小さい場合であっても、番組の詳細情報を容易に確認できるとともに、希望の番組の詳細情報を迅速に閲覧することができる番組情報表示装置を提供することを目的とする。
【課題を解決するための手段】
【０００６】
上述の目的を達成するため、本発明に係る番組情報表示装置（１）は、
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
上記詳細情報を表示する番組の日を指定する日指定手段を備え、上記データ生成手段が上記日指定手段で指定された日の番組の詳細情報を有する番組情報表示データを生成し、上記表示手段に表示することを特徴とする。
【０００７】
また、本発明に係る番組情報表示装置（２）は、
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
上記詳細情報を表示する番組の番号を指定する番号指定手段を備え、上記データ生成手段が上記番号指定手段で指定された番号の番組の詳細情報を有する番組情報表示データを生成し、上記表示手段に表示することを特徴とする。
【０００８】
また、本発明に係る番組情報表示装置（３）は、
番組情報を記憶する番組情報記憶手段と、
上記番組情報記憶手段に記憶された情報に基づき番組の詳細情報を含む番組情報表示データを生成するデータ生成手段と、
上記番組の詳細情報を表示する表示手段とを有する番組情報表示装置において、
現在詳細情報を表示している番組からスキップする番組数を指定するスキップ手段を備え、上記データ生成手段が、現在詳細情報を表示している番組から上記スキップ手段で指定された番組数だけスキップした番組の詳細情報を有する番組情報表示データを生成し、上記表示手段に表示することを特徴とする。
【発明の効果】
【０００９】
本発明に係る番組情報表示装置（１）によれば、日を指定するのみで所望の日の番組の詳細情報を表示することができ、詳細情報を表示する番組を迅速に変更することができる。
【００１０】
また、本発明に係る番組情報表示装置（２）によれば、番組の番号を指定するのみで閲覧したい番組の詳細情報を表示することができ、詳細情報を表示する番組を迅速に変更することができる。
【００１１】
また、本発明にかかる番組情報表示装置（３）によれば、番組スキップ数を指定するのみで、所望の番組にスキップすることができるので、詳細情報を表示する番組を迅速に変更することができる。
【実施例】
【００１２】
以下、本発明の番組情報表示装置の実施の形態について、図面を用いて説明する。図１は本発明の番組情報表示装置を適用した多チャンネルテレビジョンシステムの構成を示すブロック図である。
デジタル放送受信機１は、アンテナ２からの信号を受信して選局するチューナ３と、チューナ３からのデジタル放送信号を復調する復調器４と、映像データ、音声データ及びＥＰＧデータなどが多重化されている放送信号から各データを分離抽出する番組情報抽出手段としてのデマルチプレクサ５と、圧縮されたデジタル音声データをアナログの音声信号にデコードする音声デコーダ６と、圧縮された映像データをデコードする映像デコーダ７と、映像デコーダ７の出力を処理して画像信号を出力する画像処理部８と、デジタル放送受信機１の全体的な制御を行うＣＰＵ９と、各種のプログラムを記憶しているＲＯＭ１０と、ＥＰＧデータの格納領域あるいはＣＰＵ９の作業領域となる記憶手段としてのＲＡＭ１１と、リモコン１４からの信号をＣＰＵ９に送るリモコンＩ／Ｆ１２と、ディスプレイ１６のタッチパネルからの信号をＣＰＵ９に送るタッチパネルＩ／Ｆ１３とから構成されている。
【００１３】
そして、所望の放送局からの放送信号をチューナ３により選局して受信している状態で、リモコン１４の操作によりチャンネル選択を行うと、ＣＰＵ９がデマルチプレクサ５に制御信号を出力し、この制御信号に基づきデマルチプレクサ５から選択されたチャンネルの信号が抽出されるので、この選択チャンネルの信号が音声デコーダ６、映像デコーダ７でデコードされて、このチャンネルの音声信号や映像信号がスピーカ１５及びディスプレイ１６に出力され、希望のチャンネルの番組を視聴することができる。
【００１４】
また、番組表が表示されていない状態で、リモコン１４の番組情報表示／非表示ボタン（図示せず）を押すと、デマルチプレクサ５により分離出力され、ＲＡＭ１１に記憶されているＥＰＧデータに基づきＣＰＵ９が番組情報のデータを生成し、このデータが画像処理部８を介してディスプレイ１６に表示される。番組情報の表示から通常の映像出力に戻したい場合には、リモコンの番組情報表示／非表示ボタンを再び押すことにより番組情報の表示が終了する。
【００１５】
次に、上記の番組情報を作成する番組情報作成部について、デジタル放送受信機１の番組情報表示機能を実行する各部を機能により表した図２の機能ブロック図により説明する。
図２の番組情報作成部２０は、制御部２１、番組情報記憶部２２、番組データ生成部２３、数値記憶部２４からなり、制御部２１はデマルチプレクサ５、リモコンＩ／Ｆ１２、タッチパネルＩ／Ｆ１３からの信号を受け、番組情報記憶部２２、番組データ生成部２３、数値記憶部２４を制御するとともに、番組データ生成部２３で生成された番組情報データを画像処理部８に出力する。また、番組情報記憶部２２はデマルチプレクサ５により分離出力されたＥＰＧデータを記憶し、番組データ生成部２３は番組情報記憶部２２に記憶されたＥＰＧデータに基づいて所望の番組の番組情報データを生成し、数値記憶部２４は数値入力画面で入力される数値を記憶する。
これらの各部は、図１のＣＰＵ９、ＲＯＭ１０、ＲＡＭ１１により構成され、各部の機能はソフトウェアプログラムによって実行される。
【００１６】
次に、番組情報の記憶、表示を行う場合の作用を図２の機能ブロック図、図３のフローチャート及び図４、図５の表示画面を用いて説明する。なお、図３のフローチャートに示す処理は、番組情報も表示する際に実行される。
ＥＰＧデータの放送は、全チャンネルの所定日数分の番組情報を１ブロックにまとめて、この１ブロックのデータが所定間隔（約５秒）毎に繰り返し送られてくるように規定されており、このデータが受信されるたびに、デマルチプレクサ５により分離出力されたＥＰＧデータが制御部２１により番組情報記憶部２２に記憶される。このＥＰＧデータには、チャンネル番号、チャンネル名称、番組名称、放送日、放送開始時間、番組識別番号、番組説明などの放送番組に関する情報が含まれている。
【００１７】
そして、番組表が表示されていない状態で、ユーザがリモコン１４の番組表表示／非表示ボタンを押すと、その情報がリモコンＩ／Ｆ１２を介して制御部２１に送られ、制御部２１は図３のフローチャートに示すように、現在選択されているチャンネルのその時刻の番組のデータ生成を番組データ生成部２３に指示し、番組データ生成部２３は番組情報記憶部２２に記憶されたＥＰＧデータに基づき指示された番組の詳細情報を含む番組情報表示データを生成し、制御部２１がこの番組情報表示データを画像処理部８に送るので、ディスプレイ１６に図４に示すような番組情報が表示される（ステップ１０１）。
【００１８】
この番組情報表示画面には、図４に示すように、上部にサービス番号、サービス名称ａが表示され、中央に現在時刻の番組の番組開始時刻ｂ、番組番号ｃ、番組名ｄ及び番組内容や出演者等の番組詳細情報ｅが表示されるとともに、詳細情報を表示している番組の前後の番組の番組開始時刻ｂ、番組番号ｃ、番組名ｄが表示される。そして、番組詳細情報表示欄内の右側の上下に一組の詳細情報スクロールボタンｆ、ｆが表示され、番組情報表示欄の右側の上下に番組切替ボタンｇ、ｇが表示されている。また、番組表示欄の下部の両側には表示サービス切替ボタンｈ、ｈが表示され、画面の下部には、「１週間前」、「前の日」、「次の日」、「１週間先」の日指定ボタンｉと、番組番号を指定する「番組指定」ボタンｊ、番組スキップ数を指定する「スキップ」ボタンｋが表示されている。ディスプレイ１６の表示面は上記のようにタッチパネルとなっており、それぞれのボタンを押すことにより、その情報がタッチパネルＩ／Ｆ１３を介して制御部２１に入力される。
【００１９】
番組情報が表示されると、制御部２１は詳細情報スクロールボタンｆが押されたか否かを判別する（ステップ１０２）。詳細情報スクロールボタンｆが押されたと判断すると、制御部２１は押されたスクロールボタンの方向に応じて番組データ生成部２３に番組詳細情報のスクロールを指示し、番組データ生成部２３が詳細情報を上方向または下方向に移動させた番組情報表示データを生成するので、ディスプレイ１６の詳細情報の表示がスクロールされる（ステップ１０１）。
【００２０】
一方、詳細情報スクロールボタンｆが押されていない場合には、制御部２１は番組切替ボタンｇが押されたか否かを判別する（ステップ１０３）。番組切替ボタンｇが押されたと判断すると、制御部２１は番組切替ボタンの方向に応じて現在の番組の前あるいは次の番組の詳細情報の作成を番組データ生成部２３に指示し、番組データ生成部２３が番組情報記憶部２２からその番組の詳細情報を読み出し、上記と同様な番組情報表示データを作成し、制御部２１が作成されたデータを画像処理部８を介してディスプレイ１６に表示する（ステップ１０１）。
【００２１】
また、番組切替ボタンｇが押されていない場合には、制御部２１は表示サービス切替ボタンｈが押されたか否かを判別する（ステップ１０４）。表示サービス切替ボタンｈが押されたと判断すると、制御部２１は表示サービス切替ボタンの方向に応じて次のチャンネルまたは前のチャンネルの現在表示していた時間帯における番組の詳細情報の作成を番組データ生成部２３に指示し、番組データ生成部２３がその番組の詳細情報を番組情報記憶部２２から読み出し、上記と同様な番組情報表示データを作成し、制御部２１が作成されたデータを画像処理部８を介してディスプレイ１６に表示する（ステップ１０１）。
【００２２】
さらに、サービス切替ボタンｈが押されていない場合には、制御部２１は日指定ボタンｉが押されたか否かを判別する（ステップ１０５）。日指定ボタンｉが押されたと判断すると、制御部２１は「１週間前」、「前の日」、「次の日」、「１週間先」のいずれのボタンが押されたかに応じて指定された日の、現在表示しているチャンネル、時間帯の番組の詳細情報の作成を番組データ生成部２３に指示し、番組データ生成部２３が番組情報記憶部２２からその番組の詳細情報を読み出し、上記と同様な番組情報表示データを作成して制御部２１に送信し、制御部２１が作成されたデータを画像処理部８を介してディスプレイ１６に表示する（ステップ１０１）。
【００２３】
さらに、日指定ボタンｉが押されていない場合には、制御部２１は番組番号指定ボタンｊが押されたか否かを判別する（ステップ１０６）。番組番号指定ボタンｊが押されたと判断すると、制御部２１はステップ１０９に移行し、数値記憶部２４に記憶されている数値を０にする（ステップ１０９）。次に、制御部２１は図５に示す数値入力画面を画像処理部８を介してディスプレイ１６に表示する（ステップ１１０）。この数値入力画面には上部に入力数字表示枠ｍが表示され、中央に“０”から“９”の数字ボタンｎと＋／−指定ボタンｐが表示され、下部には入力決定ボタンｒと入力取消ボタンｑが表示されている。これらのボタンもユーザが押すことにより、押したボタンの情報がタッチパネルＩ／Ｆ１３を介して制御部２１に入力される。
【００２４】
次に、制御部２１は表示画面の数字ボタンｎが押されたか否かを判別する（ステップ１１１）。数字ボタンｎが押されたと判断すると、制御部２１は数値記憶部２４に記憶されている数値を１０倍した値に、押されたボタンの数値を加算して数値記憶部２４に記憶する（ステップ１１２）。
【００２５】
一方、数字ボタンｎが押されていない場合には、制御部２１は＋／−指定ボタンｐが押されたか否かを判別する（ステップ１１３）。＋／−指定ボタンｐが押されたと判断すると、制御部２１は数値記憶部２４に記憶されている数値の符号を変更して数値記憶部２４に記憶する（ステップ１１４）。これにより、入力数値表示枠ｍに表示されていた数値の符号が変更される。
【００２６】
また、＋／−指定ボタンｐが押されていない場合には、制御部２１は入力取消ボタンｑが押されたか否かを判別する（ステップ１１５）。入力取消ボタンｑが押されたと判断すると、制御部２１は数値記憶部２４に記憶されている数値の最後の桁の数値を削除した値を数値記憶部２４に記憶する（ステップ１１６）。これにより、直前に入力された数値が取り消される。
【００２７】
そして、入力取消ボタンｑも押されていないと判断した場合には、制御部２１は入力決定ボタンｒが押されたか否かを判別する（ステップ１１７）。入力決定ボタンｒが押されたと判断すると、制御部２１は数値記憶部２４に記憶されている数値が指定された番組の番号と判断し、指定された番号の番組の詳細情報の作成を番組データ生成部２３に指示し、番組データ生成部２３が番組情報記憶部２２から指定された番号の番組の詳細情報を読み出し、上記と同様な番組情報表示データを作成して制御部２１に送信し、制御部２１が作成されたデータを画像処理部８を介してディスプレイ１６に表示する（ステップ１０１）。なお、ステップ１１７において、決定ボタンｒが押されていないと判断した場合には、制御部２１はステップ１１１に戻る。
【００２８】
一方、ステップ１０６において、番組番号指定ボタンｊが押されていないと判断した場合には、制御部２１は番組スキップ数指定ボタンｋが押されたか否かを判別する（ステップ１０７）。番組スキップ数指定ボタンｋが押されたと判断すると、制御部２１はステップ１０９に移行し、上記と同様にして数値入力画面で入力された数値だけ現在の番組からスキップした番組の詳細情報の作成を番組データ生成部２３に指示し、番組データ生成部２３が番組情報記憶部２２からその番組の詳細情報を読み出し、上記と同様な番組情報表示データを作成して制御部２１に送信し、制御部２１が作成されたデータを画像処理部８を介してディスプレイ１６に表示する（ステップ１０１）。これにより、例えば、数値入力画面で「−３０」と入力された場合には、現在のチャンネルの現在詳細情報を表示している番組より３０個前の番組の詳細情報が表示される。
【００２９】
さらに、ステップ１０７において、番組スキップ数指定ボタンｋが押されていないと判断した場合には、制御部２１はリモコンの番組情報表示／非表示ボタンが押されたか否かを判断する。リモコンの番組情報表示／非表示ボタンが押されたと判断すると、制御部２１は番組情報表示を終了し、リモコンの番組情報表示／非表示ボタンが押されていないと判断すると、ステップ１０２に戻る。
【００３０】
このように、詳細情報スクロールボタンによって番組詳細情報をスクロールすることができるので、車載端末装置のように表示画面が小さい場合であっても、詳細情報の全体を閲覧することができる。また、番組切替ボタン、表示サービス切替ボタン、日指定ボタン、番組番号指定ボタン及び、番組スキップ数指定ボタンによって希望の番組の詳細情報を簡単に表示することができるので、詳細情報を表示する番組を迅速に変更することができる。
【００３１】
なお、以上の実施の形態では、ディスプレイのタッチパネルを用いて詳細情報を表示する番組の切替えを行ったが、リモコンのスクロールキーを用いて詳細情報をスクロールしたり、詳細情報を表示している番組や表示サービスの切替えを行い、受信機の操作部のファンクションキーを用いて「１週間前」、「前の日」、「次の日」、「１週間先」の日指定や番組番号指定、番組スキップ数指定を行うようにすることも可能である。
また、上記の実施の形態では、番組の詳細情報をスクロールする手段と詳細情報を表示する番組を切替える切替手段とを別個に設けたが、番組の詳細情報をスクロールする手段と詳細情報を表示する番組を切替える切替手段とを兼用し、詳細情報のスクロールが完了した場合に、詳細情報を表示する番組を切替えるようにすることも可能であり、このようにすれば、操作画面又は操作装置を簡略化することができる。
【００３２】
さらに、上記の実施の形態では、ディスプレイに表示する番組情報表示画面において、詳細情報を表示する番組の前後の番組名も表示するようにしたが、表示画面が小さい場合には、一つの番組の詳細情報のみを表示するようにしてもよい。
また、数値入力画面では、数字ボタンが押されるたびに、数値記憶部に記憶されている数値を１０倍した値に、押されたボタンの数値を加算して数値記憶部に記憶するようにしたが、入力された数値は文字列として記憶しておき、決定ボタン押下時に数値に変換することも可能である。
さらには、上記の実施の形態では、日指定ボタンにより「１週間前」、「前の日」、「次の日」、「１週間先」のいずれかを指定するようにしたが、日付自体を入力できるようにしてもよく、また、スキップボタンにより所定日数のスキップを行うようにすることも可能である。
【００３３】
以上詳述したように、本発明に係る番組情報表示装置によれば、一つの番組の詳細情報が表示され、これを切替手段によって切替えることができるため、小画面しか持たない受信機であっても、番組の詳細情報を容易に閲覧することができる。
【００３４】
また、表示対象のサービスを切替える切替手段を設ければ、番組情報表示画面で選択しているサービス以外のサービスの番組の詳細情報を閲覧することができ、表示手段に表示された番組の詳細情報をスクロールする手段を設ければ、小画面に番組の詳細情報のすべてを表示できない場合であっても、詳細情報をスクロールさせることにより、詳細情報の全体を閲覧することが可能となる。
【００３５】
さらに、番組の詳細情報をスクロールする手段を表示手段に設ければ、番組の詳細情報を閲覧しながら詳細情報をスクロールすることができるので、操作を容易にすることができ、番組の詳細情報をスクロールする手段と詳細情報を表示する番組を切替える切替手段とを兼用すれば、操作画面又は操作装置を簡略化することができる。
【００３６】
また、詳細情報を表示する番組の日を指定する日指定手段、詳細情報を表示する番組の番号を指定する番号指定手段あるいは現在詳細情報を表示している番組からスキップする番組数を指定するスキップ手段を設ければ、単にこれらを操作するだけで所望の番組の詳細情報を表示することができ、詳細情報を表示する番組を迅速に変更することができる。
【図面の簡単な説明】
【００３７】
【図１】本発明の番組情報表示装置を実施した多チャンネルテレビジョンシステムの実施の形態を示す図である。
【図２】番組情報の記憶、作成を行う番組情報作成部の機能ブロック図である。
【図３】図２の番組情報作成部の作用を示すフローチャートである。
【図４】番組情報表示画面の一例を示す図である。
【図５】数値入力画面の一例を示す図である。
【符号の説明】
【００３８】
１  放送受信機
２  アンテナ
３  チューナ
４  復調器
５  デマルチプレクサ
６  音声デコーダ
７  画像デコーダ
８  画像処理部
９  ＣＰＵ
１０  ＲＯＭ
１１  ＲＡＭ
１２  リモコンＩ／Ｆ
１３  タッチパネルＩ／Ｆ
１４  リモコン
１５  スピーカ
１６  ディスプレイ
２０  番組情報作成部
２１  制御部
２２  番組情報記憶部
２３  番組データ生成部
２４  数値記憶部
【図１】
2008178115.tif 000003
【図２】
2008178115.tif 000004
【図３】
2008178115.tif 000005
【図４】
2008178115.tif 000006
【図５】
2008178115.tif 000007